(57)【要約】【課題】従来の画鋲は、取外しが容易にできるようにテコの働きを利用したものが知られているが、離脱の際に支点を支える必要があったり、ワンタッチでなかったり、固定されていない掲示板等から画鋲を離脱する際の安定性において問題があった。【解決手段】頂面から少なくとも１本の針が突出してなる画鋲本体の前記頂面の周縁部に、壁や柱や掲示板等に取付けられた状態で同頂面と実質的に平行な押圧部となる部分と、同押圧部に繋がり画鋲本体の側面に沿って延びる操作部とからなるレバーを、回転軸を介して回動自在に取付けたことにより、当該レバーのテコ作動が針を引抜く力に代わるため、支点を支える必要なく指による摘み力によって、固定されていない掲示板等からもワンタッチで容易に安定して画鋲を離脱させることができる。【選択図】　　　図１
2004090338.tif 000002
【特許請求の範囲】
【請求項１】
頂面から少なくとも１本の針が突出してなる画鋲本体の前記頂面の周縁部に、壁や柱や掲示板等に取付けられた状態で画鋲本体の頂面と実質的に平行な押圧部となる部分と、同押圧部に繋がり画鋲本体の側面に沿って延びる操作部とからなる少なくとも１個のレバーを、回転軸を介して画鋲本体に対して回動自在に取付けたことを特徴とする画鋲。
【発明の詳細な説明】
【０００１】
【発明の属する技術分野】
本発明は、壁や柱や掲示板等に紙やポスターやカレンダー等を取付けるための画鋲に関するものである。
【０００２】
【従来の技術】
従来の画鋲は、周知のように、平円板本体とこの中心から突出する針を具備しており、これを壁や柱や掲示板等に紙やポスターやカレンダー等を取付けたのち、壁や柱や掲示板等から離脱させる必要のあるときは、画鋲の平円板本体を摘持して離脱させることが行われている。
しかし、従来の画鋲は、紙やポスターやカレンダー等を取付ける際確実に取付けるために針の根元まで押し込む必要があり、その反面、前記離脱のためにかなりの力が必要であり、また、逆に取りやすい様に浅く押し込んでおいた場合には、わずかの影響ですぐに外れてしまう等の問題を有していた。
そこで、実開昭４８−７１９３９号や実開昭５０−１４４７４３号において、取外しが容易にできるようにテコの働きを利用した画鋲が知られている。実開昭４８−７１９３９号は、画鋲本体上部の一部を上方に曲げた画鋲であって、引抜く際には、上方に曲げた部分から相対する端部を常に支点とし、指にて画鋲の頭を軽く押え、上方に曲った部分を起こすようにテコの作用を利用して離脱させる。また、実開昭５０−１４４７４３号は、画鋲本体上部の凹型の溝に合うように嵌め込んだテコ板が、テコ板の内部を通っている棒軸を支点として、テコ板がシーソ式に上下に動作する画鋲であって、引抜く際にテコ板を用いて画鋲本体と壁や掲示板との間を浮き上らせて予め隙間をつくり、その後、画鋲の平円板本体を摘持して離脱させる。
【０００３】
【発明が解決しようとする課題】
しかし、実開昭４８−７１９３９号の画鋲は、離脱させる必要のあるときは指にて画鋲の頭を軽く押さえて支点を支える必要があったり、実開昭５０−１４４７４３号の画鋲は、引抜く際にテコ板を用いて画鋲本体と壁や掲示板との間を浮き上らせて予め隙間をつくり、その後、画鋲の平円板本体を摘持して離脱させるためワンタッチでなかったり、また、双方とも力点を引き起こす際に支点を支えるように介添する必要があるため、固定されていない掲示板等から画鋲を離脱する際の安定性において問題があった。
本発明の目的は、紙やポスターやカレンダー等を確実に取付けることができ、しかもワンタッチで容易に離脱できる画鋲を提供することにある。
【０００４】
【課題を解決するための手段】
そこで本発明は、上記のような既知の画鋲にかわる新規な構造を有する画鋲を提案するもので、本発明画鋲の特徴は、頂面から少なくとも１本の針が突出してなる画鋲本体の前記頂面の周縁部に、壁や柱や掲示板等に取付けられた状態で同頂面と実質的に平行な押圧部となる部分と、同押圧部に繋がり画鋲本体の側面に沿って延びる操作部とからなるレバーを、回転軸を介して回動自在に取付けたことにより、当該レバーのテコ作動が針を引抜く力に代わるため、支点を支える必要なく指による摘み力によって、固定されていない掲示板等からもワンタッチで容易に安定して画鋲を離脱させることができる。
【０００５】
【実施例】
本発明の第１実施例である一個の画鋲離脱用レバーを形成した例について、第１図、第２図、第３図より説明する。第１図は本発明の第１実施例を示す図であり、図示するように、画鋲本体１の頂面から針２と２’が突出し、針２と２’の間に画鋲離脱用レバー３を回動可能となるように取付けられている。この画鋲離脱用レバー３は、壁や柱や掲示板等に取付けられた状態で画鋲本体１の頂面と実質的に平行な押圧部３２と、該押圧部３２に繋がり画鋲本体１の側面に沿ってのびる操作部３１で構成される大略Ｌ字状のレバーであり、これは回転軸４により画鋲本体１に対して回動自在に装着されている。
以上の構成を具備する本発明の画鋲では、画鋲離脱用レバー３を操作することによって、壁や柱や掲示板等に取付けられた画鋲を極めて容易に離脱させることができる。
第２図および第３図は、本発明第１実施例の壁からの離脱方法について説明するための図であり、第２図は壁へ取付けられている状態を、また第３図はレバー操作で壁からの離脱がなされている状態をそれぞれ示す。
第２図で示されるように、針２を用いて壁６に紙５を挟持させた状態では、画鋲離脱用レバー３の押圧部３２は壁６の面と平行になっている。したがって、周知の画鋲の取付け状態とは何ら遜色はない。
ところで、この画鋲を壁６から離脱させる場合は、画鋲離脱用レバー３の操作部３１を矢印Ｘで示すように画鋲本体１へ向かって押圧すればよい。
第３図は、この押圧がなされた直後の状態を示す図である。前述したように画鋲離脱用レバー３は、回転軸４により画鋲本体１へ回動自在に取付けられているため、矢印Ｘ方向の押圧力によって回動する。このため押圧部３２は、図示するように回転軸４を支点にして回動する。この回動により壁６の面を押圧する。この押圧力は、画鋲を離脱させる方向の力として作用するところとなり、画鋲は壁６から離脱する。
すなわち、レバー操作で画鋲本体１と壁６との間には間隙Ｌが付与される。レバー操作で針２を壁６から完全に離脱させるには間隙Ｌを大きくすればよく、したがってレバー操作による回動量を大きくする配慮を払えばよい。
以上、本発明の画鋲を１例をもって説明したが、画鋲離脱用レバー３の取付けは回転軸のみを利用してなす必要はない。
【０００６】
本発明の第２実施例である他の形状の画鋲離脱用レバーを形成した例について、第４図より説明する。第４図は、他形状の画鋲離脱用レバー３の取付けがなされた、本発明の画鋲の例を示す図である。図示するように、画鋲本体１の頂面から針２と２’が突出し、針２と２’の左右両側部に押圧部３２と３２’を有する画鋲離脱用レバー３が取付けられている。この画鋲離脱用レバー３は、壁や柱や掲示板等に取付けられた状態で画鋲本体１の頂面と実質的に平行な押圧部３２、３２’と、この押圧部に繋がり画鋲本体の側面に沿ってのびる操作部３１で構成され、左右対称に２本の押圧部３２、３２’を有しているため大略Ｕ字形状のレバーである。これは回転軸４により画鋲本体１に対して回動自在に装着されている。この構造とした場合には、画鋲離脱用レバー３が、左右対称に２本の押圧部３２、３２’を有している点でのみ第１図で示した画鋲と異なるが、レバー操作に基づく画鋲の離脱機能は第１図のものと何等異なるところはない。
【０００７】
本発明の第３実施例を第５図より説明する。第５図は第１図と同様の機能を有しているが、画鋲本体１の頂面より針２が１本のみ突出した画鋲で、離脱に要する構成要素は第１図と何等異ならない。
【０００８】
本発明の第４実施例である二個の画鋲離脱用レバーを左右対称に形成した例について、第６図、第７図、第８図より説明する。前記第１実施例で本発明の技術思想について詳細に説明したように、左右対称に形成した回動部材の例においても全く同様の効果が奏されるものである。
第６図は本発明の第４実施例を示す図であり、図示するように、画鋲本体１の頂面から針２と２’が突出し、画鋲本体１の左右両側部に左右対称に形成した画鋲離脱用レバー３と３’を、両操作部３１と３１’が近付く方向に回動可能に取付けられている。この画鋲離脱用レバー３、３’は、壁や柱や掲示板等に取付けられた状態で画鋲本体１の頂面と実質的に平行な押圧部３２、３２’と、該押圧部３２、３２’に繋がり画鋲本体１の側面に沿ってのびる操作部３１、３１’で構成されるレバーであり、これは回転軸４、４’により画鋲本体１に対して回動自在に装着されている。
第７図および第８図は、本発明第４実施例の壁からの離脱方法について説明するための図であり、第７図は壁へ取付けられている状態を、また第８図はレバー操作で壁からの離脱がなされている状態をそれぞれ示す。
以上の構成を具備する本発明の画鋲では、前記実施例１と同様、画鋲離脱用レバー３と３’を、両操作部３１と３１’が近付く方向に操作することによって、壁や柱や掲示板等に取付けられた画鋲を極めて容易に離脱させることができる。
また、レバー操作で画鋲本体１と壁６との間には間隙Ｌが付与され、レバー操作で針２を壁６から完全に離脱させるには間隙Ｌを大きくすればよく、したがってレバー操作による回動量を大きくする配慮を払えばよい。
【０００９】
【発明の効果】
以上説明したように、本発明によれば、操作部３１を摘んで画鋲離脱用レバー３を回動することにより、この画鋲離脱用レバー３に設けられた押圧部３２にて壁６を押付けて、針を壁から離脱させることができる。したがって、この画鋲離脱用レバー３のテコ作動が針を引抜く力に代わるため、支点を支える必要なく指による摘み力によって、固定されていない掲示板等からもワンタッチで容易に安定して画鋲を離脱させることができる。
【図面の簡単な説明】
【図１】本発明第１実施例、一個の画鋲離脱用レバーを形成した説明斜視図
【図２】本発明第１実施例、一個の画鋲離脱用レバーを形成した画鋲の離脱方法を示した図であり、壁へ取付けられている状態を示す説明図
【図３】本発明第１実施例、一個の画鋲離脱用レバーを形成した画鋲の離脱方法を示した図であり、レバー操作で壁からの離脱がなされている状態を示す説明図
【図４】本発明第２実施例の説明斜視図
【図５】本発明第３実施例の説明斜視図
【図６】本発明第４実施例の説明斜視図
【図７】本発明第４実施例、壁へ取付けられている状態を示す説明図
【図８】本発明第４実施例、壁からの離脱がなされている状態を示す説明図
【符号の説明】
１　　画鋲本体
２、２’　針
３、３’　画鋲離脱用レバー
４、４’　回転軸
５　　紙
６　　壁
３１、３１’　操作部
３２、３２’　押圧部
【図１】
2004090338.tif 000003
【図２】
2004090338.tif 000004
【図３】
2004090338.tif 000005
【図４】
2004090338.tif 000006
【図５】
2004090338.tif 000007
【図６】
2004090338.tif 000008
【図７】
2004090338.tif 000009
【図８】
2004090338.tif 000010